(57)【要約】【課題】乾燥時間を短くすることができ、かつ、幅広い利用者が容易に使用できる手乾燥装置、及び、該手乾燥装置を備えた洗面装置を提供する。【解決手段】洗面装置２Ａは、石鹸水及び洗浄水を吐出し、温風を吹き出す多機能スパウト３Ａを構成に含んだ手乾燥装置１Ａと、ボウル４と、を備えている。スパウト３Ａは、ボウル４の上縁部から立設した基部３１と、基部３１の前面３１１から突出した突出部３２と、手を感知するセンサ等を備えている。基部３１の前面３１１及び突出部３２の左右両側面３２１，３２２には、吹出口７１，７２，７３，７４が設けられている。前面３１１と側面３２１，３２２とは直角に交わっている。吹出口７１から吹き出される風と吹出口７２から吹き出される風とは略直角に交差する。また、吹出口７３から吹き出される風と吹出口７４から吹き出される風とは略直角に交差する。【選択図】図１
2019176973.tif 000002
【特許請求の範囲】
【請求項１】
吹出口から吹き出される風によって濡れた手を乾燥させる手乾燥装置において、
前記吹出口として第１の吹出口と第２の吹出口とが設けられ、
前記第１の吹出口の設置面と前記第２の吹出口の設置面とが交差しており、
前記第１の吹出口及び前記第２の吹出口が、これら第１の吹出口から吹き出される風と第２の吹出口から吹き出される風とが交差するように設けられている
ことを特徴とする手乾燥装置。
【請求項２】
前記第１の吹出口から吹き出される風と前記第２の吹出口から吹き出される風とが、７０°〜１１０°の範囲で交差する
ことを特徴とする請求項１に記載の手乾燥装置。
【請求項３】
前記第１の吹出口及び前記第２の吹出口は、前記第１の吹出口の設置面と前記第２の吹出口の設置面との交差部から離れた一端部の幅が、前記交差部側の他端部の幅よりも大きく形成されている
ことを特徴とする請求項１又は２に記載の手乾燥装置。
【請求項４】
前記第１の吹出口及び前記第２の吹出口が、左右に一対ずつ設けられている
ことを特徴とする請求項１〜３の何れか１項に記載の手乾燥装置。
【請求項５】
前記第１の吹出口の設置面及び前記第２の吹出口の設置面が略鉛直面である
ことを特徴とする請求項１〜４の何れか１項に記載の手乾燥装置。
【請求項６】
洗浄水吐出口と、該洗浄水吐出口から吐出される洗浄水を受けるボウルと、請求項１〜５の何れか１項に記載の手乾燥装置と、を備えた
ことを特徴とする洗面装置。
【発明の詳細な説明】
【技術分野】
【０００１】
本発明は、トイレなどに設置される手乾燥装置、及び、該手乾燥装置を備えた洗面装置に関する。
【背景技術】
【０００２】
商業施設のトイレなどに設置される手乾燥装置として、手に対して片側から風が吹き出す片面乾燥タイプのものと、手の両側から風が吹き出す両面乾燥タイプのものが公知である（特許文献１を参照。）。
【先行技術文献】
【特許文献】
【０００３】
【特許文献１】特開２０１６−１５０１９５号公報
【発明の概要】
【発明が解決しようとする課題】
【０００４】
上述した片面乾燥タイプの手乾燥装置は、乾燥時間が長くなるという問題があった。また、上述した両面乾燥タイプの手乾燥装置は、乾燥時間は短くなるが、狭い乾燥空間に手を挿入する構造であるがゆえに、身長が低い幼児や車椅子利用者にとっては使用し難いことがあるという問題があった。
【０００５】
本発明は、上述した問題に鑑みてなされたものであり、乾燥時間を短くすることができ、かつ、幅広い利用者が容易に使用できる手乾燥装置、及び、該手乾燥装置を備えた洗面装置を提供することを目的としている。
【課題を解決するための手段】
【０００６】
請求項１に記載された発明は、吹出口から吹き出される風によって濡れた手を乾燥させる手乾燥装置において、前記吹出口として第１の吹出口と第２の吹出口とが設けられ、前記第１の吹出口の設置面と前記第２の吹出口の設置面とが交差しており、前記第１の吹出口及び前記第２の吹出口が、これら第１の吹出口から吹き出される風と第２の吹出口から吹き出される風とが交差するように設けられていることを特徴とする手乾燥装置である。
【０００７】
請求項２に記載された発明は、請求項１に記載された発明において、前記第１の吹出口から吹き出される風と前記第２の吹出口から吹き出される風とが、７０°〜１１０°の範囲で交差することを特徴とするものである。
【０００８】
請求項３に記載された発明は、請求項１又は２に記載された発明において、前記第１の吹出口及び前記第２の吹出口は、前記第１の吹出口の設置面と前記第２の吹出口の設置面との交差部から離れた一端部の幅が、前記交差部側の他端部の幅よりも大きく形成されていることを特徴とするものである。
【０００９】
請求項４に記載された発明は、請求項１〜３の何れか１項に記載された発明において、前記第１の吹出口及び前記第２の吹出口が、左右に一対ずつ設けられていることを特徴とするものである。
【００１０】
請求項５に記載された発明は、請求項１〜４の何れか１項に記載された発明において、前記第１の吹出口の設置面及び前記第２の吹出口の設置面が略鉛直面であることを特徴とするものである。
【００１１】
請求項６に記載された発明は、洗浄水吐出口と、該洗浄水吐出口から吐出される洗浄水を受けるボウルと、請求項１〜５の何れか１項に記載の手乾燥装置と、を備えたことを特徴とする洗面装置である。
【発明の効果】
【００１２】
請求項１に記載された発明によれば、前記吹出口として第１の吹出口と第２の吹出口とが設けられ、前記第１の吹出口の設置面と前記第２の吹出口の設置面とが交差しており、前記第１の吹出口及び前記第２の吹出口が、これら第１の吹出口から吹き出される風と第２の吹出口から吹き出される風とが交差するように設けられているので、手の平側と手の甲側とを同時に乾燥させることができる。また、乾燥空間に手を位置付ける際は多方向からアクセスできるので、身長が低い幼児や車椅子利用者にとっても使い易い。よって、乾燥時間を短くすることができ、かつ、幅広い利用者が容易に使用できる手乾燥装置を提供することができる。
【００１３】
請求項２に記載された発明によれば、前記第１の吹出口から吹き出される風と前記第２の吹出口から吹き出される風とが、７０°〜１１０°の範囲で交差するので、乾燥時間をより短くすることができる。なお、交差角度が１１０°よりも大きい場合、乾燥空間が狭くなって利便性が低下する。また、交差角度が７０°よりも小さい場合、吹出口から手までの距離が大きくなり、風が届き難くなる。
【００１４】
請求項３に記載された発明によれば、前記第１の吹出口及び前記第２の吹出口は、前記第１の吹出口の設置面と前記第２の吹出口の設置面との交差部から離れた一端部の幅が、前記交差部側の他端部の幅よりも大きく形成されているので、一端部側の風の強さを他端部側よりも強くすることができる。これにより、吹出口の一端部側から手までの距離が離れていても風速を保つことができ、効率良く手を乾燥させることができる。
【００１５】
請求項４に記載された発明によれば、前記第１の吹出口及び前記第２の吹出口が、左右に一対ずつ設けられているので、利用者の左手と右手とを同時に乾燥させることができる。
【００１６】
請求項５に記載された発明によれば、前記第１の吹出口の設置面及び前記第２の吹出口の設置面が略鉛直面であるので、乾燥空間に手を位置付ける際は、より多方向からアクセスでき、利便性が向上する。
【００１７】
請求項６に記載された発明によれば、濡れた手を短時間で乾燥させることができ、かつ、幅広い利用者が容易に手を乾燥させることができる洗面装置を提供することができる。
【図面の簡単な説明】
【００１８】
【図１】本発明の第１実施形態にかかる手乾燥装置の斜視図である。
【図２】図１の手乾燥装置を備えた洗面装置の概略図であり、（ａ）は平面図、（ｂ）は正面図、（ｃ）は側面図である。
【図３】本発明の第２実施形態にかかる手乾燥装置を備えた洗面装置の概略図であり、（ａ）は平面図、（ｂ）は正面図、（ｃ）は側面図である。
【図４】本発明の第３実施形態にかかる手乾燥装置を備えた洗面装置の概略図であり、（ａ）は平面図、（ｂ）は正面図、（ｃ）は（ａ）中のＡ−Ａ線に沿った断面図である。
【図５】本発明の第４実施形態にかかる手乾燥装置の概略図であり、（ａ）は平面図、（ｂ）は正面図、（ｃ）は側面図である。
【図６】本発明の第５実施形態にかかる手乾燥装置の概略図であり、（ａ）は平面図、（ｂ）は正面図、（ｃ）は側面図である。
【図７】本発明の第６実施形態にかかる手乾燥装置の概略図であり、（ａ）は平面図、（ｂ）は正面図、（ｃ）は側面図である。
【図８】本発明の第７実施形態にかかる手乾燥装置の概略図であり、（ａ）は平面図、（ｂ）は正面図、（ｃ）は側面図である。
【図９】本発明の第８実施形態にかかる手乾燥装置の概略図であり、（ａ）は平面図、（ｂ）は正面図、（ｃ）は側面図である。
【図１０】本発明の第９実施形態にかかる手乾燥装置の概略図であり、（ａ）は平面図、（ｂ）は正面図、（ｃ）は側面図である。
【図１１】本発明の第１０実施形態にかかる手乾燥装置の概略図であり、（ａ）は平面図、（ｂ）は正面図、（ｃ）は側面図である。
【図１２】本発明の第１１実施形態にかかる手乾燥装置の概略図であり、（ａ）は平面図、（ｂ）は正面図、（ｃ）は側面図である。
【図１３】本発明の第１２実施形態にかかる手乾燥装置の斜視図である。
【図１４】図２に示した吹出口の第１変形例を示す概略図である。
【図１５】図２に示した吹出口の第２変形例を示す概略図である。
【図１６】図２に示した吹出口の第３変形例を示す概略図である。
【発明を実施するための形態】
【００１９】
本発明の第１実施形態にかかる「手乾燥装置」、及び、該手乾燥装置を備えた「洗面装置」を図１〜２を参照して説明する。本実施形態の手乾燥装置１Ａは、商業施設のトイレなどに設置される洗面装置２Ａに適用されるものである。
【００２０】
洗面装置２Ａは、石鹸水及び洗浄水（本例では水道水）を吐出し、温風を吹き出す多機能スパウト３Ａを構成に含んだ手乾燥装置１Ａと、ボウル４と、を備えている。
【００２１】
手乾燥装置１Ａは、多機能スパウト３Ａ（以下、単に「スパウト３Ａ」と呼称する。）と、温風ユニット（不図示）と、これらスパウト３Ａと温風ユニットとを接続したダクト（不図示）と、を備えている。
【００２２】
スパウト３Ａは、ボウル４の上縁部から立設した基部３１と、基部３１の前面３１１から前方、すなわちボウル４の中心側に向かって水平に突出した突出部３２と、基部３１の背面に連なった連結部３０と、手を感知するセンサ（不図示）等を備えている。基部３１は、左右方向に延びた長方形板状に形成されている。突出部３２は、基部３１の長手方向（左右方向）中央から突出している。また、突出部３２は、基部３１の前面３１１に対し垂直方向に延びた長方形板状に形成されている。なお、本明細書中に記載した「左右」「前後」の方向は、洗面装置２Ａの利用者からみた方向である。
【００２３】
突出部３２の下面３２０には、石鹸水吐出口５と、洗浄水吐出口６と、が設けられている。石鹸水吐出口５は、下面３２０の前側の左側部分に設けられている。洗浄水吐出口６は、下面３２０の前側の右側部分に設けられている。基部３１の前面３１１及び突出部３２の左右両側面３２１，３２２には、上記温風ユニットから上記ダクトを介して送られてきた温風を吹き出す吹出口７１，７２，７３，７４が設けられている。
【００２４】
連結部３０の内部、基部３１の内部、及び、突出部３２の内部には、上記ダクトから吹出口７１，７２，７３，７４に至る風路と、不図示のタンクから供給された石鹸水を石鹸水吐出口５まで運ぶための石鹸水用流路と、不図示の温水器から供給された洗浄水を洗浄水吐出口６まで運ぶための洗浄水用流路と、が設けられている。また、本例においては、温風ユニット、石鹸水タンク、温水器が、ボウル４の下に配置されている。
【００２５】
手乾燥装置１Ａは、石鹸水吐出口５の下方に手がかざされたことをセンサが感知すると、石鹸水吐出口５からボウル４に向かって泡状の石鹸水を吐出する。また、洗浄水吐出口６の下方に手がかざされたことをセンサが感知すると、洗浄水吐出口６からボウル４に向かって洗浄水を吐出する。また、吹出口７１，７２，７３，７４の近傍に手がかざされたことをセンサが感知すると、温風ユニットが作動して吹出口７１，７２，７３，７４から温風を吹き出し、濡れた手を乾燥させる。
【００２６】
続いて、吹出口７１，７２，７３，７４の構成について詳細に説明する。吹出口７１（「第１の吹出口」に相当する。）は、基部３１の前面３１１における左側に設けられている。吹出口７２（「第２の吹出口」に相当する。）は、突出部３２の左側面３２１に設けられている。吹出口７３（「第１の吹出口」に相当する。）は、基部３１の前面３１１における右側に設けられている。吹出口７４（「第２の吹出口」に相当する。）は、突出部３２の右側面３２２に設けられている。吹出口７１と吹出口７３との間には、突出部３２が位置している。また、これら吹出口７１，７２，７３，７４は、同じ高さ位置に設けられている。
【００２７】
吹出口７１，７３の設置面である前面３１１と、吹出口７２の設置面である左側面３２１と、吹出口７４の設置面である右側面３２２と、は何れも鉛直面である。吹出口７１の設置面である前面３１１と吹出口７２の設置面である左側面３２１とは直角に交わっている。同様に、吹出口７３の設置面である前面３１１と吹出口７４の設置面である右側面３２２とは直角に交わっている。また、本発明において、「第１の吹出口の設置面と第２の吹出口の設置面とが交差している」とは、第１の吹出口の設置面と第２の吹出口の設置面とが角度を成していることを意味する。
【００２８】
図１に示すように、吹出口７１と吹出口７２は、利用者の左手を乾燥させることを予定して設けられたものである。また、吹出口７３と吹出口７４は、利用者の右手を乾燥させることを予定して設けられたものである。このように、本例によれば、温風の吹出口が、左右に一対ずつ設けられているので、利用者の左手と右手とを同時に乾燥させることができる。
【００２９】
吹出口７１は、左右方向に細長く延びている。また、本例における吹出口７１の形状は、左端部（すなわち前面３１１と左側面３２１との交差部から離れた端部）から右端部（すなわち前面３１１と左側面３２１との交差部側の端部）に向かうにしたがって徐々に幅が小さくなる三角形となっている。
【００３０】
吹出口７２は、前後方向に細長く延びている。また、本例における吹出口７２の形状は、前端部（すなわち前面３１１と左側面３２１との交差部から離れた端部）から後端部（すなわち前面３１１と左側面３２１との交差部側の端部）に向かうにしたがって徐々に幅が小さくなる三角形となっている。
【００３１】
吹出口７３は、吹出口７１と左右対称形状であり、左右方向に細長く延びているとともに、右端部から左端部に向かうにしたがって徐々に幅が小さくなる三角形の形状となっている。
【００３２】
吹出口７４は、吹出口７２と同様に、前後方向に細長く延びており、前端部から後端部に向かうにしたがって徐々に幅が小さくなる三角形の形状となっている。
【００３３】
図１中の各吹出口７１，７２，７３，７４から延びた矢印は、各吹出口７１，７２，７３，７４から吹き出される風のベクトルである。吹出口７１から吹き出される風と吹出口７２から吹き出される風とは、略直角に交差する。また、吹出口７１から吹き出される風は、吹出口７１の右端部から左端部に向かうにしたがって徐々に強くなる。同様に、吹出口７２から吹き出される風は、吹出口７２の後端部から前端部に向かうにしたがって徐々に強くなる。
【００３４】
図１に示すように、左の手の甲を吹出口７１側に向け、左の手の平を吹出口７２側に向けるようにして手をかざすと、手の平側と手の甲側とを同時に乾燥させることができる。また、このようにして手をかざすと、吹出口７１，７２から吹き出される風がほぼ均一な強さ（風速）で手の各位置に当たるので、効率良く（消費電力を無駄にすることなく）短時間で手を乾燥させることができる。
【００３５】
右側の吹出口７３，７４の作用は、上述した左側の吹出口７１，７２の作用と同様であるため、詳細な説明は省略する。
【００３６】
本発明においては、第１の吹出口から吹き出される風と第２の吹出口から吹き出される風とが、７０°〜１１０°の範囲で交差する。また、本発明において好ましい交差角度は、８０°〜１００°である。このような条件を満たすことにより、乾燥時間をより短くすることができる。
【００３７】
このような洗面装置２Ａは、吹出口７１，７３の前方及び吹出口７２，７４の側方に遮る物がないため、前面３１１と左側面３２１との間の乾燥空間、及び、前面３１１と右側面３２２との間の乾燥空間に手を位置付ける際は多方向からアクセスでき、身長が低い幼児や車椅子利用者にとっても使い易い。また、吹出口７１，７２，７３，７４がボウル４の奥側（後側）に集約されているので、手洗いスペースを広く取ることができる。このように本発明においては、乾燥時間を短くすることができ、幅広い利用者が容易に使用できる手乾燥装置１Ａ、及び、この手乾燥装置１Ａを備えた使い易い洗面装置２Ａを提供することができる。
【００３８】
また、上述した実施形態では、吹出口７１，７２，７３，７４から温風が吹き出される構成であったが、本発明においては、吹出口から吹き出される風の温度は問わない。
【００３９】
本発明の第２実施形態にかかる「手乾燥装置」、及び、該手乾燥装置を備えた「洗面装置」を図３を参照して説明する。図３において、前述した実施形態と同一構成部分には同一符号を付して説明を省略する。本実施形態の手乾燥装置１Ｂは、前述した実施形態の手乾燥装置と同様に、洗面装置２Ｂに適用されるものである。
【００４０】
本実施形態においては、スパウト３Ｂが、第１実施形態の突出部３２の代わりに突出部３３を備えている。突出部３３は、突出部３２よりも横幅が大きく形成されている（基部３１と横幅が等しい。）。突出部３３には、その前面から凹に形成された切欠き部３４が設けられている。切欠き部３４は、左右一対設けられている。また、石鹸水吐出口５及び洗浄水吐出口６は、突出部３２の下面３２０における一対の切欠き部３４間に設けられている。
【００４１】
一対の切欠き部３４は、図３（ａ）に示すように、平面視三角形状に形成されている。吹出口７１は、左側の切欠き部３４の内面３４１に設けられている。吹出口７２は、左側の切欠き部３４の内面３４２に設けられている。これら内面３４１と内面３４２とは直角に交わっている。吹出口７１から吹き出される風と吹出口７２から吹き出される風とは略直角に交差する。吹出口７３は、右側の切欠き部３４の内面３４３に設けられている。吹出口７４は、右側の切欠き部３４の内面３４４に設けられている。これら内面３４３と内面３４４とは直角に交わっている。吹出口７３から吹き出される風と吹出口７４から吹き出される風とは略直角に交差する。
【００４２】
本例においても、濡れた手を短時間で乾燥させることができ、切欠き部３４内の乾燥空間に手を位置付ける際は多方向からアクセスできる。
【００４３】
本発明の第３実施形態にかかる「手乾燥装置」、及び、該手乾燥装置を備えた「洗面装置」を図４を参照して説明する。図４において、前述した実施形態と同一構成部分には同一符号を付して説明を省略する。本実施形態の手乾燥装置１Ｃは、前述した実施形態の手乾燥装置と同様に、洗面装置２Ｃに適用されるものである。
【００４４】
本実施形態においては、スパウト３Ｃが、第１実施形態の突出部３２の代わりに左右一対の突出部３５，３６を備えている。一対の突出部３５，３６は、基部３１の長手方向両端部から前方に突出している。石鹸水吐出口５は、突出部３５の下面３５０に設けられている。洗浄水吐出口６は、突出部３６の下面３６０に設けられている。
【００４５】
吹出口７１は、左側の突出部３５の内側面３５１に設けられている。吹出口７２は、基部３１の前面３１１に設けられている。これら内側面３５１と前面３１１とは直角に交わっている。吹出口７１から吹き出される風と吹出口７２から吹き出される風とは略直角に交差する。吹出口７３は、右側の突出部３６の内側面３６１に設けられている。吹出口７４は、基部３１の前面３１１に設けられている。これら内側面３６１と前面３１１とは直角に交わっている。吹出口７３から吹き出される風と吹出口７４から吹き出される風とは略直角に交差する。
【００４６】
本例においても、濡れた手を短時間で乾燥させることができ、一対の突出部３５，３６間の乾燥空間に手を位置付ける際は多方向からアクセスできる。
【００４７】
本発明の第４実施形態にかかる「手乾燥装置」を図５を参照して説明する。図５において、前述した実施形態と同一構成部分には同一符号を付して説明を省略する。本実施形態の手乾燥装置１Ｄは、前述した実施形態の手乾燥装置と同様に、洗面装置に適用されるものである。
【００４８】
本実施形態においては、スパウト３Ｄが、第１実施形態の基部３１の代わりに基部３１Ｄを備えている。基部３１Ｄは、基部３１のように厚みが均一な板状ではなく、図５（ａ）に示すように、長手方向の両端部に向かうにしたがって厚みが薄くなる板状に形成されている。
【００４９】
吹出口７１は、基部３１Ｄの左前面３１２に設けられている。吹出口７２は、突出部３２の左側面３２１に設けられている。これら左前面３１２と左側面３２１とは鈍角で交わっている。吹出口７１から吹き出される風と吹出口７２から吹き出される風とは鋭角で交差する。吹出口７３は、基部３１Ｄの右前面３１３に設けられている。吹出口７４は、突出部３２の右側面３２２に設けられている。これら右前面３１３と右側面３２２とは鈍角で交わっている。吹出口７３から吹き出される風と吹出口７４から吹き出される風とは鋭角で交差する。
【００５０】
本例においても、濡れた手を短時間で乾燥させることができ、左前面３１２と左側面３２１との間の乾燥空間、及び、右前面３１３と右側面３２２との間の乾燥空間に手を位置付ける際は多方向からアクセスできる。
【００５１】
本発明の第５実施形態にかかる「手乾燥装置」を図６を参照して説明する。図６において、前述した実施形態と同一構成部分には同一符号を付して説明を省略する。本実施形態の手乾燥装置１Ｅは、前述した実施形態の手乾燥装置と同様に、洗面装置に適用されるものである。
【００５２】
本実施形態においては、スパウト３Ｅが、第１実施形態の突出部３２の代わりに突出部３２Ｅを備えている。突出部３２Ｅは、突出部３２のように幅が均一な板状ではなく、図６（ａ）に示すように、基部３１から離れるにしたがって幅が小さくなる先細形状に形成されている。
【００５３】
吹出口７１は、基部３１の前面３１１に設けられている。吹出口７２は、突出部３２Ｅの左側面３２３に設けられている。これら前面３１１と左側面３２３とは鈍角で交わっている。吹出口７１から吹き出される風と吹出口７２から吹き出される風とは鋭角で交差する。吹出口７３は、基部３１の前面３１１に設けられている。吹出口７４は、突出部３２Ｅの右側面３２４に設けられている。これら前面３１１と右側面３２４とは鈍角で交わっている。吹出口７３から吹き出される風と吹出口７４から吹き出される風とは鋭角で交差する。
【００５４】
本例においても、濡れた手を短時間で乾燥させることができ、前面３１１と左側面３２３との間の乾燥空間、及び、前面３１１と右側面３２４との間の乾燥空間に手を位置付ける際は多方向からアクセスできる。
【００５５】
本発明の第６実施形態にかかる「手乾燥装置」を図７を参照して説明する。図７において、前述した実施形態と同一構成部分には同一符号を付して説明を省略する。本実施形態の手乾燥装置１Ｆは、前述した実施形態の手乾燥装置と同様に、洗面装置に適用されるものである。
【００５６】
本実施形態においては、スパウト３Ｆが、第１実施形態の基部３１の代わりに基部３１Ｆを備えている。基部３１Ｆは、基部３１のように厚みが均一な板状ではなく、図７（ａ）に示すように、長手方向の両端部に向かうにしたがって厚みが厚くなる板状に形成されている。
【００５７】
吹出口７１は、基部３１Ｆの左前面３１４に設けられている。吹出口７２は、突出部３２の左側面３２１に設けられている。これら左前面３１４と左側面３２１とは鋭角で交わっている。吹出口７１から吹き出される風と吹出口７２から吹き出される風とは鈍角で交差する。吹出口７３は、基部３１Ｆの右前面３１５に設けられている。吹出口７４は、突出部３２の右側面３２２に設けられている。これら右前面３１５と右側面３２２とは鋭角で交わっている。吹出口７３から吹き出される風と吹出口７４から吹き出される風とは鈍角で交差する。
【００５８】
本例においても、濡れた手を短時間で乾燥させることができ、左前面３１４と左側面３２１との間の乾燥空間、及び、右前面３１５と右側面３２２との間の乾燥空間に手を位置付ける際は多方向からアクセスできる。
【００５９】
本発明の第７実施形態にかかる「手乾燥装置」を図８を参照して説明する。図８において、前述した実施形態と同一構成部分には同一符号を付して説明を省略する。本実施形態の手乾燥装置１Ｇは、前述した実施形態の手乾燥装置と同様に、洗面装置に適用されるものである。
【００６０】
本実施形態においては、スパウト３Ｇが、第１実施形態の突出部３２の代わりに突出部３２Ｇを備えている。突出部３２Ｇは、突出部３２のように幅が均一な板状ではなく、図８（ａ）に示すように、基部３１から離れるにしたがって幅が大きく形成されている。
【００６１】
吹出口７１は、基部３１の前面３１１に設けられている。吹出口７２は、突出部３２Ｇの左側面３２５に設けられている。これら前面３１１と左側面３２５とは鋭角で交わっている。吹出口７１から吹き出される風と吹出口７２から吹き出される風とは鈍角で交差する。吹出口７３は、基部３１の前面３１１に設けられている。吹出口７４は、突出部３２Ｇの右側面３２６に設けられている。これら前面３１１と右側面３２６とは鋭角で交わっている。吹出口７３から吹き出される風と吹出口７４から吹き出される風とは鈍角で交差する。
【００６２】
本例においても、濡れた手を短時間で乾燥させることができ、前面３１１と左側面３２５との間の乾燥空間、及び、前面３１１と右側面３２６との間の乾燥空間に手を位置付ける際は多方向からアクセスできる。
【００６３】
本発明の第８実施形態にかかる「手乾燥装置」を図９を参照して説明する。図９において、前述した実施形態と同一構成部分には同一符号を付して説明を省略する。本実施形態の手乾燥装置１Ｈは、前述した実施形態の手乾燥装置と同様に、洗面装置に適用されるものである。
【００６４】
本実施形態においては、スパウト３Ｈが、第１実施形態の基部３１の代わりに基部３１Ｈを備えている。基部３１Ｈは、基部３１のように厚みが均一な板状ではなく、図９（ａ）に示すように、長手方向の両端部に向かうにしたがって厚みが薄くなる板状に形成されている。また、基部３１Ｈの前面３１６は、前方に凸の曲面である。
【００６５】
吹出口７１は、基部３１Ｈの前面３１６に設けられている。吹出口７２は、突出部３２の左側面３２１に設けられている。これら前面３１６と左側面３２１とは交差している。吹出口７１から吹き出される風と吹出口７２から吹き出される風とは交差する。吹出口７３は、基部３１Ｈの前面３１６に設けられている。吹出口７４は、突出部３２の右側面３２２に設けられている。これら前面３１６と右側面３２２とは交差している。吹出口７３から吹き出される風と吹出口７４から吹き出される風とは交差する。
【００６６】
また、前面３１６は、前方に凸の曲面であることから、吹出口７１，７３から吹き出される風は放射状に拡がる。よって、吹出口７１から吹き出される風と吹出口７２から吹き出される風とは、場所によって交差角度が異なっている。吹出口７３，７４から吹き出される風の交差角度についても同様である。このように、吹出口の設置面を凸の曲面とした本例は、乾燥空間を大きくする際に有効である。
【００６７】
本例においても、濡れた手を短時間で乾燥させることができ、前面３１６と左側面３２１との間の乾燥空間、及び、前面３１６と右側面３２２との間の乾燥空間に手を位置付ける際は多方向からアクセスできる。
【００６８】
本発明の第９実施形態にかかる「手乾燥装置」を図１０を参照して説明する。図１０において、前述した実施形態と同一構成部分には同一符号を付して説明を省略する。本実施形態の手乾燥装置１Ｉは、前述した実施形態の手乾燥装置と同様に、洗面装置に適用されるものである。
【００６９】
本実施形態においては、スパウト３Ｉが、第５実施形態の突出部３２Ｅの代わりに突出部３２Ｉを備えている。突出部３２Ｅの左右両側面３２３，３２４は平面であったが、突出部３２Ｉの左右両側面３２７，３２８は、幅方向の外側に凸の曲面である。左右両側面３２７，３２８が幅方向の外側に凸の曲面であることから、吹出口７２，７４から吹き出される風は放射状に拡がる。よって、吹出口７１から吹き出される風と吹出口７２から吹き出される風とは、場所によって交差角度が異なっている。吹出口７３，７４から吹き出される風の交差角度についても同様である。
【００７０】
本例においても、濡れた手を短時間で乾燥させることができ、前面３１１と左側面３２７との間の乾燥空間、及び、前面３１１と右側面３２８との間の乾燥空間に手を位置付ける際は多方向からアクセスできる。
【００７１】
本発明の第１０実施形態にかかる「手乾燥装置」を図１１を参照して説明する。図１１において、前述した実施形態と同一構成部分には同一符号を付して説明を省略する。本実施形態の手乾燥装置１Ｊは、前述した実施形態の手乾燥装置と同様に、洗面装置に適用されるものである。
【００７２】
本実施形態においては、スパウト３Ｊが、第８実施形態の基部３１Ｈの代わりに基部３１Ｊを備えている。基部３１Ｈの前面３１６は、前方に凸の曲面であったが、基部３１Ｊの前面３１８は、後方に凹の曲面である。前面３１８が後方に凹の曲面であることから、吹出口７１，７３から吹き出される風は内側に集められる。よって、吹出口７１から吹き出される風と吹出口７２から吹き出される風とは、場所によって交差角度が異なっている。吹出口７３，７４から吹き出される風の交差角度についても同様である。このように、吹出口の設置面を凹の曲面とした本例は、風を集中させる際に有効である。
【００７３】
本例においても、濡れた手を短時間で乾燥させることができ、前面３１８と左側面３２１との間の乾燥空間、及び、前面３１８と右側面３２２との間の乾燥空間に手を位置付ける際は多方向からアクセスできる。
【００７４】
本発明の第１１実施形態にかかる「手乾燥装置」を図１２を参照して説明する。図１２において、前述した実施形態と同一構成部分には同一符号を付して説明を省略する。本実施形態の手乾燥装置１Ｋは、前述した実施形態の手乾燥装置と同様に、洗面装置に適用されるものである。
【００７５】
本実施形態においては、スパウト３Ｋが、第７実施形態の突出部３２Ｇの代わりに突出部３２Ｋを備えている。突出部３２Ｇの左右両側面３２５，３２６は平面であったが、突出部３２Ｋの左右両側面３９１，３９２は、幅方向の内側に凹の曲面である。左右両側面３９１，３９２が幅方向の内側に凹の曲面であることから、吹出口７２，７４から吹き出される風は内側に集められる。よって、吹出口７１から吹き出される風と吹出口７２から吹き出される風とは、場所によって交差角度が異なっている。吹出口７３，７４から吹き出される風の交差角度についても同様である。
【００７６】
本例においても、濡れた手を短時間で乾燥させることができ、前面３１１と左側面３９１との間の乾燥空間、及び、前面３１１と右側面３９２との間の乾燥空間に手を位置付ける際は多方向からアクセスできる。
【００７７】
本発明の第１２実施形態にかかる「手乾燥装置」を図１３を参照して説明する。図１３において、前述した実施形態と同一構成部分には同一符号を付して説明を省略する。本実施形態の手乾燥装置１Ｌは、濡れた手を乾燥する機能のみを有するものであり、吹出部５と、温風ユニット（不図示）と、を備えている。
【００７８】
吹出部５は、鉛直方向に延びた板状の基部５１と、基部５１の前面５１１から水平に突出した３つの突出部５２，５３，５４と、手を感知するセンサ（不図示）等を備えている。突出部５２，５３，５４は、基部５１の長手方向（左右方向）中央から突出しているとともに、基部５１の高さ方向に間隔をあけて並んでいる。また、突出部５２，５３，５４は、基部５１の前面５１１に対し垂直方向に延びた長方形板状に形成されている。
【００７９】
基部５１の前面５１１及び突出部５２，５３，５４の左右両側面５２１，５２２，５３１，５３２，５４１，５４２には、上記温風ユニットから送られてきた温風を吹き出す吹出口７１，７２，７３，７４が設けられている。また、基部５１の前面５１１においては、上段の突出部５２の吹出口７２，７４と同じ高さ位置に吹出口７１，７３が設けられ、中段の突出部５３の吹出口７２，７４と同じ高さ位置に別の吹出口７１，７３が設けられ、下段の突出部５４の吹出口７２，７４と同じ高さ位置にさらに別の吹出口７１，７３が設けられている。
【００８０】
このような手乾燥装置１Ｌの各吹出口７１，７２，７３，７４の作用は、第１実施形態の手乾燥装置１Ａの各吹出口７１，７２，７３，７４の作用と同様であるが、利用者は、自分の身長に応じて、上段・中断・下段の乾燥空間の中から使い易い乾燥空間を選択することができる。
【００８１】
上述した実施形態においては、吹出口７１，７２，７３，７４が、一端部から他端部に向かうにしたがって徐々に幅が小さくなるように形成されていたが、本発明においては、これに限定されない。本発明の吹出口は、例えば、幅が均一であってもよいし、図１４〜１６に示す形状であってもよい。
【００８２】
図１４に示す吹出口７５は、幅が徐々に変化する徐変部７５１と、幅が均一な均一部７５２と、を有している。均一部７５２は、第１の吹出口の設置面と第２の吹出口の設置面との交差部側に位置し、徐変部７５１は、前記交差部から離れた側に位置する。
【００８３】
図１５に示す吹出口７６は、一端部から他端部に向かうにしたがって徐々に幅が小さくなるように形成されている。また、吹出口７６は、一点鎖線で示す中心線の上側に曲率中心が位置する曲線７６１と、中心線の下側に曲率中心が位置する曲線７６２と、これら曲線７６１，７６２とを結んだ直線とで構成される形状である。
【００８４】
図１６に示す吹出口７７は、一端部から他端部に向かうにしたがって徐々に幅が小さくなるように形成されている。また、吹出口７７は、一点鎖線で示す中心線の下側に曲率中心が位置する曲線７７１と、中心線の上側に曲率中心が位置する曲線７７２と、これら曲線７７１，７７２とを結んだ直線とで構成される形状である。
【００８５】
上述した実施形態においては、吹出口の設置面に対し直交方向に風が吹き出す例を説明したが、本発明においては、吹出口の内部や風路にルーバー等を設け、吹出口の設置面に対し任意の角度で風が吹き出すようにしてもよい。
【００８６】
上述した実施形態においては、吹出口の設置面が鉛直面である例を説明したが、本発明においては、これに限定されず、吹出口の設置面が上下方向に角度を持っていてもよい。また、本発明において、吹出口の設置面は、平面に限らず、図９〜１２に示すように曲面であってもよいし、球面等の三次元曲面であってもよい。さらに、吹出口の設置面は、複数の面を組み合わせた多面体状であってもよい。
【００８７】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００８８】
１Ａ〜１Ｌ  手乾燥装置
２Ａ〜２Ｃ  洗面装置
７１〜７７  吹出口
【図１】
2019176973.tif 000003
【図２】
2019176973.tif 000004
【図３】
2019176973.tif 000005
【図４】
2019176973.tif 000006
【図５】
2019176973.tif 000007
【図６】
2019176973.tif 000008
【図７】
2019176973.tif 000009
【図８】
2019176973.tif 000010
【図９】
2019176973.tif 000011
【図１０】
2019176973.tif 000012
【図１１】
2019176973.tif 000013
【図１２】
2019176973.tif 000014
【図１３】
2019176973.tif 000015
【図１４】
2019176973.tif 000016
【図１５】
2019176973.tif 000017
【図１６】
2019176973.tif 000018